(57)【要約】  デジタル放送受信装置およびデジタル放送受信方法は、視聴者の訪問頻度の高い場所から好みの番組を検索し、視聴者が良く訪問する場所に関連する番組であることを示すデジタル放送受信装置を提供する。デジタル放送受信装置およびデジタル放送受信方法は、デジタルカメラで撮影した静止画に含まれるＧＰＳ情報とＥＰＧ情報に含まれる位置情報とを基にして、ユーザーのお気に入りの場所に関する番組かどうかを判別し、お薦め番組としてユーザーに提供する。
2008129879.tif 000002
【特許請求の範囲】
【請求項１】
画像情報とともに位置情報が記録された記録媒体を挿入する媒体挿入部と、
前記記録媒体から前記画像情報及び前記位置情報を取得する媒体制御部と、
前記媒体制御部が取得した前記画像情報及び前記位置情報を記憶する記憶部と、
放送信号を受信する放送受信部と、
前記放送受信部からの信号を受けて、少なくとも、映像信号と、音声信号と、番組関連位置情報を含む付加情報とを出力する放送信号解析部と、
表示部と、
制御部と
を備え、
前記制御部は、
前記付加情報から前記番組関連位置情報を抽出し、
前記記憶部に記憶されている前記位置情報と抽出した前記番組関連位置情報とを基にして前記付加情報に対応する番組のお薦め度合いを算出してお薦め番組を特定し、
前記表示部は、
前記お薦め番組に関連した前記画像情報と、
算出された前記お薦め度合いを示す画像と
が合成された映像を表示する
デジタル放送受信装置。
【請求項２】
前記制御部は、更に前記付加情報を用いて電子番組表情報を作成し、
前記表示部は、更に前記電子番組表情報に関連する映像を表示し、
前記制御部は、前記電子番組表情報に関連する映像中に前記お薦め番組に関連した前記画像情報と前記お薦め度合いを示す画像とが合成された映像を提示する
請求項１に記載のデジタル放送受信装置。
【請求項３】
前記放送受信部からの信号を記録する記録部を更に備え、
前記制御部は、前記記録部が前記お薦め番組も記録するように制御する
請求項１と２のいずれか１項に記載のデジタル放送受信装置。
【請求項４】
画像情報とともに位置情報が記録された記録媒体を挿入し、
前記記録媒体から前記画像情報及び前記位置情報を取得し、
取得した前記画像情報及び前記位置情報を記憶し、
放送信号を受信して、少なくとも、映像信号と、音声信号と、番組関連位置情報を含む付加情報とを分離し、
前記付加情報から前記番組関連位置情報を抽出し、
前記位置情報と前記番組関連位置情報とを基にして前記付加情報に対応する番組のお薦め度合いを算出してお薦め番組を特定し
前記お薦め番組に関連した前記画像情報と、算出された前記お薦め度合いを示す画像とを合成して表示する
デジタル放送受信方法。
【請求項５】
前記付加情報を用いて電子番組表情報を作成して記憶し、
前記電子番組表情報に関連する映像を表示し、
前記電子番組表情報に関連する映像中に前記お薦め番組に関連した前記画像情報と前記お薦め度合いを示す画像とが合成された映像を提示する
請求項４に記載のデジタル放送受信方法。
【請求項６】
前記受信した信号を記録し、
前記お薦め番組も記録する
請求項４と５のいずれか１項に記載のデジタル放送受信方法。
【発明の詳細な説明】
【技術分野】
【０００１】
本発明は、静止画ファイルに含まれている位置情報と番組毎に含まれている位置情報を基にして、視聴者がよく訪問する場所に関する番組であることを提示するデジタル放送受信装置およびデジタル放送受信方法に関する。
【背景技術】
【０００２】
従来のテレビジョン放送受信装置として、ＧＰＳにより測定されたテレビジョン放送受信装置の位置情報に基づいて、複数の放送データからテレビジョン放送受信装置に提示するコンテンツを選択する機能を具備するテレビジョン放送受信装置が公知である。このようなテレビジョン放送受信装置は、例えば特許文献１に開示されている。【０００３】
またデジタルカメラで撮影した静止画ファイルの中のＧＰＳ情報を解析した結果とデジタル放送番組データから取得した位置データが一致した場合に、番組録画の際にサムネイル画像を同時に保存し、録画した番組を再生する時に表示するプレイリストにデジタルカメラのサムネイル画像を表示する画像処理装置が公知である。このような画像処理装置は、例えば特許文献２に開示されている。【０００４】
しかしながら、特許文献１は、ＧＰＳシステムを搭載した携帯型テレビジョン放送受信装置を対象としている。視聴者の現在位置を基に番組選局を行うため、モバイル機器など、移動を前提としたテレビジョン放送受信装置の場合は、現在地の情報を取得することが可能である。しかし、家庭用の据え置き型のテレビジョン放送受信装置の場合は、必ずしも、視聴者が好きな場所に関する番組を提供できるわけではない。【０００５】
また、特許文献２は、番組録画時にデジタル放送番組データの関連情報とサムネイル画像とを関連付けて保存することが可能である。ところで、一般的にデジタルカメラで撮影した静止画を、デジタル放送受信装置で再生する場合は、視聴者がレジャーなどで出かけた場所であることが多い。したがって、写真撮影に多く行っている場所は、視聴者の訪問頻度が高く、視聴者がお気に入りの場所であると考えられるにも関わらず、このような静止画ファイル中のＧＰＳ情報を有効に活用しているとは言えない。
【特許文献１】特開２００６−２２９８６７号公報
【特許文献２】特開２００６−２３８１９２号公報
【発明の開示】
【０００６】
本発明は、静止画に含まれるＧＰＳ情報とＥＰＧ情報に含まれる位置情報とを基にして、ユーザーが気に入っている場所に関する番組をお薦め番組として提示するデジタル放送受信装置およびデジタル放送受信方法を提供する。
【０００７】
デジタル放送受信装置は、画像情報とともに位置情報が記録された記録媒体を挿入する媒体挿入部と、記録媒体から画像情報及び位置情報を取得する媒体制御部と、媒体制御部が取得した画像情報及び位置情報を記憶する記憶部と、放送信号を受信する放送受信部と、放送受信部からの信号を受けて少なくとも映像信号と音声信号と番組関連位置情報を含む付加情報とを出力する放送信号解析部と、表示部と、制御部とを備え、制御部は、付加情報から番組関連位置情報を抽出し、記憶部に記憶されている位置情報と抽出した番組関連位置情報とを基にして付加情報に対応する番組のお薦め度合いを算出してお薦め番組を特定し、表示部は、お薦め番組に関連した画像情報と算出されたお薦め度合いを示す画像とが合成された映像を表示する。
【０００８】
デジタル放送受信方法は、画像情報とともに位置情報が記録された記録媒体を挿入し、記録媒体から画像情報及び位置情報を取得し、取得した画像情報及び位置情報を記憶し、放送信号を受信して少なくとも映像信号と音声信号と番組関連位置情報を含む付加情報とを分離し、付加情報から番組関連位置情報を抽出し、位置情報と番組関連位置情報とを基にして付加情報に対応する番組のお薦め度合いを算出してお薦め番組を特定し、お薦め番組に関連した画像情報と算出されたお薦め度合いを示す画像とを合成して表示する。
【図面の簡単な説明】
【０００９】
【図１】図１は本発明の実施の形態におけるデジタル放送受信装置の構成を示すブロック図である。
【図２】図２は本発明の実施の形態における記録媒体に記録された画像データのデータ構造を示す図である。
【図３】図３は本発明の実施の形態における記録媒体に記録された画像データの表示方法の一例を示す図である。
【図４】図４は本発明の実施の形態における表示画像リストの構成を示す図である。
【図５】図５は本発明の実施の形態における表示画像蓄積リストの構成を示す図である。
【図６】図６は本発明の実施の形態における電子番組表リストの構成を示す図である。
【図７】図７は本発明の実施の形態におけるデジタル放送受信装置およびデジタル放送受信方法での記録媒体挿入時の処理を示すフローチャートである。
【図８】図８は本発明の実施の形態におけるデジタル放送受信装置およびデジタル放送受信方法での電子番組表リスト作成時の処理を示すフローチャートである。
【図９】図９は本発明の実施の形態におけるデジタル放送受信装置およびデジタル放送受信方法での距離からポイントの算出を行うための表の一例を示す図である。
【図１０】図１０は本発明の実施の形態におけるデジタル放送受信装置およびデジタル放送受信方法での累計ポイントからアイコンを特定するための表の一例を示す図である。
【図１１】図１１は本発明の実施の形態におけるデジタル放送受信装置およびデジタル放送受信方法での電子番組表の一例を示す図である。
【図１２】図１２は本発明の実施の形態におけるデジタル放送受信装置の他の構成を示すブロック図である。
【符号の説明】
【００１０】
１００ａ，１００ｂ    デジタル放送受信装置
１０１    チューナ
１０２    分離部
１０３    制御部
１０４    デコード部
１０５    映像処理部
１０６    ＯＳＤ制御部
１０７    合成部
１０８    表示部
１０９    リモコン信号送受信部
１１０    媒体挿入部
１１１    媒体制御部
１１２    記憶部
２００    画像データ
２０１    ヘッダ情報
２０２    主画像付属情報
２０３    サムネイル付属情報
２０４    サムネイル画像データ
２０５    主画像データ
３０１    １枚表示画面
３０２    スライドショー画面
３０３    サムネイル表示画面
３０４    付属情報表示画面
３０５    サムネイル表示枠
４００    表示画像リスト
４０１    番号
４０２    ファイル名
４０３    選択状態フラグ
４０４    付属情報
４０５    サムネイル画像データへのポインタ
４０６    主画像データへのポインタ
５００    表示画像リスト
５０１    番号
５０２    ファイル名
５０３    選択状態フラグ
５０４    付属情報
５０５    サムネイル画像データへのポインタ
５０６    主画像データへのポインタ
５５０    静止画ファイル
６００    電子番組表リスト
６０１    イベントＩＤ
６０２    開始時刻
６０３    番組の継続時間
６０４    番組名
６０５    番組内容
６０６    位置情報（番組関連位置情報）
６０７    累計ポイント
９００    距離・ポイント対応リスト
９０１    ポイント
９０２    距離
１０００    累計ポイント・アイコン対応リスト
１００１    累計ポイント
１００２    アイコン
１１０１，１１０２，１１０３    お薦め度合いを示すアイコン
１１１０    画像
１２０１    記録部
【発明を実施するための最良の形態】
【００１１】
以下、本発明の実施の形態について、図面を用いて説明する。【００１２】
（実施の形態）
図１は、本発明に係るデジタル放送受信装置１００ａの構成を示すブロック図である。デジタル放送受信装置１００ａは、チューナ１０１と、分離部１０２と、制御部１０３と、デコード部１０４と、映像処理部１０５と、ＯＳＤ制御部１０６と、合成部１０７と、表示部１０８と、リモコン信号送受信部１０９と、媒体挿入部１１０と、媒体制御部１１１と、記憶部１１２で構成される。記憶部１１２には、表示画像リスト４００、表示画像蓄積リスト５００、静止画ファイル５５０、電子番組表リスト６００、距離・ポイント対応リスト９００、累計ポイント・アイコン対応リスト１０００が記憶される。【００１３】
チューナ１０１は、放送受信部の一例である。チューナ１０１は、制御部１０３からの選局要求に基づいてデジタル放送信号を受信し、受信したデジタル放送信号に高周波処理及び復調処理を行い、トランスポートストリームとして分離部１０２へ出力する。【００１４】
分離部１０２は放送信号解析部の一例である。分離部１０２は、チューナ１０１からのトランスポートストリームをデジタル映像信号及びデジタル音声信号を含むＭＰＥＧデータと番組情報等の付加情報に分離し、ＭＰＥＧデータをデコード部１０４へ出力し、付加情報を制御部１０３に出力する。【００１５】
制御部１０３は、リモコン信号送受信部１０９から所望のチャンネルの選局要求を取得した場合は、チューナ１０１への選局要求を行うと共に、選局されたチャンネルの番組視聴時において分離部１０２から取得した付加情報のうち所定操作時に必要な番組情報データをＯＳＤ制御部１０６へ出力する。また、制御部１０３は、リモコン信号送受信部１０９からの各種要求又は媒体制御部１１１からの各種通知を取得した場合は、記録媒体挿入処理、アイコン表示処理を行う。これらの処理については、後ほど図７及び図８を用いて詳述する。【００１６】
デコード部１０４は、制御部１０３から映像処理要求を取得した場合は、分離部１０２からのＭＰＥＧデータをデコードし映像信号として映像処理部１０５へ出力する。一方、デコード部１０４は、制御部１０３から画像処理要求を取得した場合は、制御部１０３からの画像データをデコードし画像信号として映像処理部１０５へ出力する。【００１７】
映像処理部１０５は、デコード部１０４からの映像信号又は画像信号に輝度、コントラスト等の調整を行い映像データ又は画像データとして合成部１０７へ出力する。【００１８】
ＯＳＤ制御部１０６は、制御部１０３からの番組情報データをＯＳＤ表示データとして合成部１０７へ出力する。ＯＳＤ制御部１０６は、制御部１０３からサムネイル表示要求を取得した場合は、サムネイル表示枠３０５を整形すると共に、サムネイル表示枠３０５と指定された位置に対応する識別表示データを含んだＯＳＤ表示データを合成部１０７へ出力する。ここで、識別表示データとは、指定された位置のサムネイル表示枠３０５を強調表示するためのデータである。【００１９】
合成部１０７は、映像処理部１０５からの映像データ又は画像データとＯＳＤ制御部１０６からのＯＳＤ表示データを合成し、映像信号又は画像信号として表示部１０８へ出力する。【００２０】
表示部１０８は、制御部１０３から映像処理要求を取得した場合は、合成部１０７からの映像信号を画面表示する。一方、表示部１０８は、制御部１０３から画像処理要求を取得した場合は、合成部１０７からの画像信号を画面表示する。画面表示方法については、後ほど図４を用いて詳述する。【００２１】
リモコン信号送受信部１０９は、図示しないリモコンからのリモコン信号を受信し、リモコン受信信号として制御部１０３へ出力する。【００２２】
媒体挿入部１１０は、ＳＤカード等の記録媒体を挿入する挿入部である。記録媒体での画像データの記録方法については、後ほど図２を用いて詳述する。【００２３】
媒体制御部１１１は、媒体挿入部１１０への記録媒体の挿入／取出を検出し、制御部１０３に対して各種通知を行う。そして、媒体制御部１１１は、制御部１０３からの要求に基づいて、表示画像リスト４００と表示画像蓄積リスト５００と静止画ファイル５５０を作成する。【００２４】
記憶部１１２は、媒体制御部１１１からの表示画像リスト４００と表示画像蓄積リスト５００と静止画ファイル５５０と、制御部１０３からの電子番組表リスト６００を記憶する。【００２５】
ここで、記録媒体での画像データの記録方法について図２を用いて説明する。記録媒体に記録された画像データ２００はデジタルスチルカメラ用画像ファイルフォーマット規格（Ｅｘｉｆ）に基づいてデジタルスチルカメラで記録されている。主たるデータとして記録する画像を「主画像」、「主画像」の見出し用小画像を「サムネイル」と呼ぶ。画像データ２００は、ヘッダ情報２０１、主画像データ２０５、主画像付属情報２０２、サムネイル画像データ２０４及びサムネイル付属情報２０３で構成されている。ヘッダ情報２０１には、Ｅｘｉｆ形式かＪＦＩＦ形式かを示すファイル形式やデータ形式、ビッグエンディアンあるいはリトルエンディアンを示すバイトオーダーなどが記述されている。主画像付属情報２０２は、画像の解像度や圧縮の種類や画素構成などの主画像データ２０５に関する付属情報と、撮影日時や被写体距離やシャッタースピードなど撮影条件に関する情報と、経度や緯度や高度といったＧＰＳに関する情報から構成されている。ＥＸＩＦデータ部（ＡＰＰ１）２１０は、ヘッダ情報２０１と主画像付属情報２０２とサムネイル画像データ２０４及びサムネイル付属情報２０３で構成されている。【００２６】
なお、本実施の形態では、記録媒体に記録された画像データ２００はデジタルスチルカメラ用画像ファイルフォーマット規格として、「Ｅｘｉｆ」に基づいてデジタルスチルカメラで記録されているものとして説明している。しかし、記録媒体に記録された画像データ２００はデジタルスチルカメラ用画像ファイルフォーマット規格としては、「Ｅｘｉｆ」に基づいたものに限られるものではない。記録媒体に記録された画像データ２００は「Ｅｘｉｆ」以外に基づいたものであっても良い。【００２７】
画像表示方法について図３を用いて説明する。画面表示としては、１枚表示３０１とスライドショー表示３０２とサムネイル表示３０３と付属情報表示３０４がある。１枚表示３０１では、１枚の主画像データ２０５と主画像付属情報２０２が同時に表示される。スライドショー表示３０２では、主画像データ２０５が表示部１０８全体に連続的に表示される。サムネイル表示３０３では、ファイル名によるソート後、３×３などのレイアウトでサムネイル画像データ２０４が表示される。付属情報表示３０４では、主画像データ２０５の主画像付属情報２０２のみがテキストで表示される。サムネイル表示３０３では、ＯＳＤ制御部１０６で整形したサムネイル表示枠３０５において選択されたサムネイルを更に枠などで囲み強調表示される。スライドショー表示３０２では、表示画像リストの順に一定時間が経過すると選択状態の主画像は次の主画像に移り変わる。【００２８】
媒体制御部１１１は、画像データ２００中の情報を用いて、表示画像リスト４００と表示画像蓄積リスト５００と静止画ファイル５５０を作成する。【００２９】
表示画像リスト４００の構成について図４を用いて説明する。表示画像リスト４００は、記録媒体に保存された画像データを示すリストであって、番号４０１とファイル名４０２と、選択状態フラグ４０３と、付属情報４０４と、サムネイル画像データ２０４へのポインタ４０５と、主画像データ２０５へのポインタ４０６で構成されている。番号４０１はシリアルに割り振られたソート用の番号である。選択状態フラグ４０３は画像が選択状態にあるか否かを示す。付属情報４０４には、ＧＰＳの位置情報やＥｘｉｆなど撮影に関する情報が記述されている。【００３０】
表示画像蓄積リスト５００の構成について図５を用いて説明する。表示画像蓄積リスト５００はデジタル放送受信装置１００ａに保存された全ての画像データを示すリストであって、表示画像リスト４００と同じ構造であり、番号５０１とファイル名５０２と、選択状態フラグ５０３と、付属情報５０４と、サムネイル画像データ２０４へのポインタ５０５と、主画像データ２０５へのポインタ５０６で構成されている。番号５０１はシリアルに割り振られたソート用の番号である。選択状態フラグ５０３は画像が選択状態にあるか否かを示す。付属情報５０４には、ＧＰＳの位置情報やＥｘｉｆなど撮影に関する情報が記述されている。ただし、画像データ２００へのポインタは、デジタル放送受信装置１００ａの記憶部１１２に保存された静止画ファイル５５０へのポインタとなる。【００３１】
電子番組表リスト６００について、図６を用いて説明する。電子番組表６００は、番組データを放送波を利用して送信し、受信機で表示する仕組みである。【００３２】
デジタル放送では、ＳＩ（Ｓｅｒｖｉｃｅ  Ｉｎｆｏｒｍａｔｉｏｎ、番組配列情報）と呼ばれる情報で構成されているデータパケットの情報が蓄積され、電子番組表が提示される。【００３３】
ＳＩの中のＥＩＴ（Ｅｖｅｎｔ  Ｉｎｆｏｒｍａｔｉｏｎ  Ｔａｂｌｅ）には、番組名、放送日時、番組概要など、個々の番組に関する情報がイベント情報として記述されている。受信機側では、受信したＥＩＴの情報が蓄積され、受信機側で新聞の「ラジオ・テレビ欄」のように提示される。本発明では、ＥＩＴのイベント情報として、緯度、経度、高度といった位置情報（番組関連位置情報）が付加されている。【００３４】
デジタル放送受信装置１００ａは、受信したＥＩＴを電子番組表リスト６００にあるように、イベントＩＤ６０１、開始時刻６０２、番組の継続時間６０３、番組名６０４、番組内容６０５、位置情報（番組関連位置情報）６０６、累積ポイント６０７を蓄積する。位置情報（番組関連位置情報）６０６には、緯度や経度や高度の情報が含まれている。【００３５】
以下、上述のデジタル放送受信装置１００ａを用いた記録媒体挿入処理について、図７のフローチャートを用いて説明する。【００３６】
デジタル放送受信装置１００ａの制御部１０３は、媒体制御部１１１に対し、媒体挿入部１１０への記録媒体の挿抜を定期的に監視する要求を行う（ステップＳ７０１）。【００３７】
媒体制御部１１１が記録媒体の挿入を検出した場合は（ステップＳ７０２で「ＹＥＳ」）、制御部１０３に対して記録媒体挿入通知を行う。媒体制御部１１１が記録媒体の挿入を検出しなかった場合（ステップＳ７０２で「ＮＯ」）は、デジタル放送受信装置１００ａを用いた記録媒体挿入処理が終了する。【００３８】
記録媒体挿入通知を受けると、制御部１０３は媒体制御部１１１に対して、記録媒体の中の画像ファイルを読み込み、図３に示すＥｘｉｆ形式のファイル構造の中から必要な情報を抽出し、表示画像リスト４００の作成と保存を行う（ステップＳ７０３）。【００３９】
表示画像リスト４００の作成後は、デジタル放送受信装置１００ａの記憶部１１２に静止画ファイルを作成し保存する（ステップＳ７０４）。静止画ファイルの画像サイズに関しては、記憶部１１２の容量を効率的に利用するために小さくリサイズしても良い。【００４０】
その後、表示画像リスト４００は表示画像蓄積リスト５００の最後尾に連結される。この場合、表示画像蓄積リスト５００の情報と今回追加する表示画像リスト４００の画像が比較され、すでに保存されているデータであった場合は追記されない。また静止画ファイルのポインタを記憶部１１２に保存された静止画ファイル５５０のポインタに切り替えて保存される（ステップＳ７０５）。そして、デジタル放送受信装置１００ａを用いた記録媒体挿入処理が終了する。【００４１】
次に、図８を用いて、電子番組表に視聴者の訪問頻度が高く、お気に入りの場所に関する番組であることを示すためのアイコン表示処理について説明する。【００４２】
デジタル放送受信装置１００ａの制御部１０３は、ＥＩＴを受信すると電子番組表リスト６００を作成する（ステップＳ８０１）。【００４３】
電子番組表リスト６００に記述されている番組の位置情報が抽出される（ステップＳ８０２）。記憶部１１２の表示画像蓄積リスト５００のシリアルに振られた番号５０１に対応する静止画ファイルごとの位置情報の緯度、経度、高度から距離が算出される（ステップＳ８０３）。距離の算出に関してはヒュベニの計算式など緯度、経度、高度から距離を算出するための既知の方法を用いればよい。【００４４】
制御部１０３は、図９に示す距離・ポイント対応リスト９００を基にして、静止画ファイル５５０と番組情報の距離からポイントを算出する（ステップＳ８０４）。【００４５】
ステップＳ８０４で算出されたポイントが番組毎に累計され、電子番組情報リスト６００の累計ポイント６０７の欄に記述される（ステップＳ８０５）。【００４６】
表示画像蓄積リスト５００の画像すべてのポイントを累計（ステップＳ８０６で「ＹＥＳ」）するまで、ステップＳ８０３からステップＳ８０５までの処理が繰り返される（ステップＳ８０６で「ＮＯ」）。【００４７】
そして、電子番組表リスト６００のすべてのイベントＩＤ６０１に対応する番組のポイントを累計（ステップＳ８０７で「ＹＥＳ」）するまで、ステップＳ８０２からステップＳ８０６までの処理が繰り返される（ステップＳ８０７で「ＮＯ」）。【００４８】
全番組分の累計ポイントが算出し終わったら、累計ポイントに応じたアイコンを累計ポイント・アイコン対応リスト１０００からアイコンを特定し、番組表の該当する番組のカラム上に提示される（ステップＳ８０８）。【００４９】
なお、番組表への表示方法はこの形態に限るものではなく、他の形状のアイコンやポイント数の表示であってもよい。【００５０】
また電子番組表リスト６００に記述された緯度や経度と距離が近い静止画ファイルのサムネイルなどを表示する（ステップＳ８０９）ことで、視聴者にとっては、どの場所に関する番組なのかが理解しやすくなる。【００５１】
図９は、ポイント９０１と距離９０２との関係を示す距離・ポイント対応リスト９００である。距離９０２は、記憶部１１２に蓄積された静止画ファイルごとの位置情報の緯度、経度、高度から算出された距離である（ステップＳ８０３）。例えば、その算出された距離９０２が「０〜５００ｍ」であればポイント９０１は「２０」であり、その算出された距離９０２が「５００〜１ｋｍ」であればポイント９０１は「１０」である。【００５２】
図１０は、累計ポイント１００１とアイコン１００２との関係を示す累計ポイント・アイコン対応リスト１０００である。累計ポイント１００１はステップＳ８０７で算出し終わった累計ポイントであって、お薦め度合いを示す。アイコン１００２は、その算出し終わった累計ポイントに対応するアイコンの表示例である。【００５３】
次に、図１１はデジタル放送受信装置１００ａが提示する電子番組表１１００の一例を示す。お薦め度合いを示すアイコン１１０１、１１０２、１１０３は電子番組表１１００の該当する番組のカラムにステップＳ８０８で確定したお薦め度合いを示す。画像１１１０の欄には、この番組の緯度経度と距離が近い場所で撮影された静止画ファイルの画像１１１０が表示されている。【００５４】
次に、本発明の実施の形態のおけるデジタル放送受信装置の他の構成について図１２を用いて説明する。図１２は本発明の実施の形態におけるデジタル放送受信装置の他の構成を示すブロック図である。図１２に示すデジタル放送受信装置１００ｂが図１に示すデジタル放送受信装置１００ａと異なる箇所は記録部１２０１である。図１２において、図１での参照番号と同じ参照番号については図１と同じである。したがって、記録部１２０１について主に説明し、その他については説明を省略する。【００５５】
チューナ１０１は、その出力を分離部１０２と記録部１２０１に供給する。記録部１２０１は制御部１０３に制御されて、チューナ１０１からの信号を記録する。制御部１０３は、記録部１２０１がお薦め番組も記録するように制御する。図１２のように構成することで、記録部１２１はチューナ１０１からの信号のみならず、お薦め番組も記録できる。記録部１２０１に記録された信号は、制御部１０３に制御されて、必要に応じて再生されて分離部１０２に供給される。【００５６】
なお、本実施の形態では、電子番組表１１００にお薦め度合いを示すアイコン１１０１、１１０２，１１０３を表示する形態について説明した。しかし、本発明はこれに限るものではなく、例えば視聴者がチャンネルを順次切り替えて番組選択を行っている際に、番組名とともにお薦め度合いを示すアイコン１１０１、１１０２，１１０３をチャンネル切り替え後の一定時間、表示するとしてもよい。【００５７】
図１や図１２に示した制御部１０３がリモコン信号送受信部１０９や記憶部１１２やＯＳＤ制御部１０６などと連携して、このような機能を実現できる。【００５８】
また、番組視聴中に、裏番組に距離ポイントの高い番組が存在する場合は、視聴中の番組にＯＳＤ（オン・スクリーン・ディスプレイ）でメッセージを表示したり、音声でメッセージを通知したりして、裏番組の推薦を行ってもよい。このような機能も、図１や図１２に示した制御部１０３が記憶部１１２やＯＳＤ制御部１０６などと連携して、実現できる。【００５９】
さらに、録画機能を持つデジタル放送受信装置１００ａの場合は、ある一定のポイント以上の番組を自動録画するとしてもよい。このような機能も、図１２に示した制御部１０３が記憶部１１２や記録部１２０１などと連携して、実現できる。【００６０】
また、本発明の実施の形態におけるデジタル放送受信装置１００ａ、１００ｂでの電子番組表１１００の一例を図１１に示して説明した。しかし、本発明の電子番組表１１００においては、少なくともお薦め度合いを示すアイコン１１０１、１１０２、１１０３が表示されていれば良い。すなわち、お薦め度合いを示すアイコン１１０１、１１０２、１１０３以外の少なくとも一部を省略してもよい。【００６１】
また、お薦め度合いを示すアイコン１１０１、１１０２、１１０３をチャネルバナーに表示することも可能である。このような機能も、図１や図１２に示した制御部１０３が記憶部１１２やＯＳＤ制御部１０６などと連携して、実現できる。【００６２】
以上のように、本発明は、記録媒体上の静止画に含まれるＧＰＳ情報を用いて視聴者のお気に入りの場所を推定し、その場所をデジタル放送信号中のＥＰＧ情報に含まれる位置情報と比較することによって、視聴者のお気に入りの場所に関する番組を提供することができる。【００６３】
すなわち、デジタルカメラの位置情報から視聴者の良く行く場所を判断し、視聴者の趣味にあった番組をおすすめ番組として提示することが可能になる。
【産業上の利用可能性】
【００６４】
デジタル放送受信装置およびデジタル放送受信方法は、ＧＰＳを搭載したデジタルスチルカメラにて撮影した画像の位置情報を保存し、番組の位置情報と比較し視聴者の訪問頻度の高い場所に関する番組を推薦することができ、ＢＳ／ＣＳ放送、地上波デジタル放送、ＣＡＴＶ等の各種デジタル放送受信装置およびデジタル放送受信方法に有用である。
【図１】
2008129879.tif 000003
【図２】
2008129879.tif 000004
【図３】
2008129879.tif 000005
【図４】
2008129879.tif 000006
【図５】
2008129879.tif 000007
【図６】
2008129879.tif 000008
【図７】
2008129879.tif 000009
【図８】
2008129879.tif 000010
【図９】
2008129879.tif 000011
【図１０】
2008129879.tif 000012
【図１１】
2008129879.tif 000013
【図１２】
2008129879.tif 000014
【手続補正書】
【提出日】平成20年6月19日(2008.6.19)
【手続補正１】
【補正対象書類名】特許請求の範囲
【補正対象項目名】全文
【補正方法】変更
【補正の内容】
【特許請求の範囲】
【請求項１】
画像情報とともに位置情報が記録された記録媒体を挿入する媒体挿入部と、
前記記録媒体から前記画像情報及び前記位置情報を取得する媒体制御部と、
前記媒体制御部が取得した前記画像情報及び前記位置情報を記憶する記憶部と、
放送信号を受信する放送受信部と、
前記放送受信部からの信号を受けて、少なくとも、映像信号と、音声信号と、番組関連位置情報を含む付加情報とを出力する放送信号解析部と、
表示部と、
制御部と
を備え、
前記制御部は、
前記付加情報から前記番組関連位置情報を抽出し、
前記記憶部に記憶されている前記位置情報と抽出した前記番組関連位置情報とを基にして前記付加情報に対応する番組のお薦め度合いを算出してお薦め番組を特定し、
前記表示部は、
前記お薦め番組に関連した前記画像情報と、
算出された前記お薦め度合いを示す画像と
が合成された映像を表示する
デジタル放送受信装置。
【請求項２】
前記制御部は、更に前記付加情報を用いて電子番組表情報を作成し、
前記表示部は、更に前記電子番組表情報に関連する映像を表示し、
前記制御部は、前記電子番組表情報に関連する映像中に前記お薦め番組に関連した前記画像情報と前記お薦め度合いを示す画像とが合成された映像を提示する
請求項１に記載のデジタル放送受信装置。
【請求項３】
前記放送受信部からの信号を記録する記録部を更に備え、
前記制御部は、前記記録部が前記お薦め番組も記録するように制御する
請求項１と２のいずれか１項に記載のデジタル放送受信装置。
【請求項４】
画像情報とともに位置情報が記録された記録媒体を挿入し、
前記記録媒体から前記画像情報及び前記位置情報を取得し、
取得した前記画像情報及び前記位置情報を記憶し、
放送信号を受信して、少なくとも、映像信号と、音声信号と、番組関連位置情報を含む付加情報とを分離し、
前記付加情報から前記番組関連位置情報を抽出し、
前記位置情報と前記番組関連位置情報とを基にして前記付加情報に対応する番組のお薦め度合いを算出してお薦め番組を特定し
前記お薦め番組に関連した前記画像情報と、算出された前記お薦め度合いを示す画像とを合成して表示する
デジタル放送受信方法。
【請求項５】
前記付加情報を用いて電子番組表情報を作成して記憶し、
前記電子番組表情報に関連する映像を表示し、
前記電子番組表情報に関連する映像中に前記お薦め番組に関連した前記画像情報と前記お薦め度合いを示す画像とが合成された映像を提示する
請求項４に記載のデジタル放送受信方法。
【請求項６】
前記受信した信号を記録し、
前記お薦め番組も記録する
請求項４と５のいずれか１項に記載のデジタル放送受信方法。
【手続補正２】
【補正対象書類名】明細書
【補正対象項目名】全文
【補正方法】変更
【補正の内容】
【発明の詳細な説明】
【技術分野】
【０００１】
本発明は、静止画ファイルに含まれている位置情報と番組毎に含まれている位置情報を基にして、視聴者がよく訪問する場所に関する番組であることを提示するデジタル放送受信装置およびデジタル放送受信方法に関する。
【背景技術】
【０００２】
従来のテレビジョン放送受信装置として、ＧＰＳにより測定されたテレビジョン放送受信装置の位置情報に基づいて、複数の放送データからテレビジョン放送受信装置に提示するコンテンツを選択する機能を具備するテレビジョン放送受信装置が公知である。このようなテレビジョン放送受信装置は、例えば特許文献１に開示されている。
【０００３】
またデジタルカメラで撮影した静止画ファイルの中のＧＰＳ情報を解析した結果とデジタル放送番組データから取得した位置データが一致した場合に、番組録画の際にサムネイル画像を同時に保存し、録画した番組を再生する時に表示するプレイリストにデジタルカメラのサムネイル画像を表示する画像処理装置が公知である。このような画像処理装置は、例えば特許文献２に開示されている。
【０００４】
しかしながら、特許文献１は、ＧＰＳシステムを搭載した携帯型テレビジョン放送受信装置を対象としている。視聴者の現在位置を基に番組選局を行うため、モバイル機器など、移動を前提としたテレビジョン放送受信装置の場合は、現在地の情報を取得することが可能である。しかし、家庭用の据え置き型のテレビジョン放送受信装置の場合は、必ずしも、視聴者が好きな場所に関する番組を提供できるわけではない。
【０００５】
また、特許文献２は、番組録画時にデジタル放送番組データの関連情報とサムネイル画像とを関連付けて保存することが可能である。ところで、一般的にデジタルカメラで撮影した静止画を、デジタル放送受信装置で再生する場合は、視聴者がレジャーなどで出かけた場所であることが多い。したがって、写真撮影に多く行っている場所は、視聴者の訪問頻度が高く、視聴者がお気に入りの場所であると考えられるにも関わらず、このような静止画ファイル中のＧＰＳ情報を有効に活用しているとは言えない。
【特許文献１】特開２００６−２２９８６７号公報
【特許文献２】特開２００６−２３８１９２号公報
【発明の開示】
【０００６】
本発明は、静止画に含まれるＧＰＳ情報とＥＰＧ情報に含まれる位置情報とを基にして、ユーザーが気に入っている場所に関する番組をお薦め番組として提示するデジタル放送受信装置およびデジタル放送受信方法を提供する。
【０００７】
デジタル放送受信装置は、画像情報とともに位置情報が記録された記録媒体を挿入する媒体挿入部と、記録媒体から画像情報及び位置情報を取得する媒体制御部と、媒体制御部が取得した画像情報及び位置情報を記憶する記憶部と、放送信号を受信する放送受信部と、放送受信部からの信号を受けて少なくとも映像信号と音声信号と番組関連位置情報を含む付加情報とを出力する放送信号解析部と、表示部と、制御部とを備え、制御部は、付加情報から番組関連位置情報を抽出し、記憶部に記憶されている位置情報と抽出した番組関連位置情報とを基にして付加情報に対応する番組のお薦め度合いを算出してお薦め番組を特定し、表示部は、お薦め番組に関連した画像情報と算出されたお薦め度合いを示す画像とが合成された映像を表示する。
【０００８】
デジタル放送受信方法は、画像情報とともに位置情報が記録された記録媒体を挿入し、記録媒体から画像情報及び位置情報を取得し、取得した画像情報及び位置情報を記憶し、放送信号を受信して少なくとも映像信号と音声信号と番組関連位置情報を含む付加情報とを分離し、付加情報から番組関連位置情報を抽出し、位置情報と番組関連位置情報とを基にして付加情報に対応する番組のお薦め度合いを算出してお薦め番組を特定し、お薦め番組に関連した画像情報と算出されたお薦め度合いを示す画像とを合成して表示する。
【発明を実施するための最良の形態】
【０００９】
以下、本発明の実施の形態について、図面を用いて説明する。
【００１０】
（実施の形態）
図１は、本発明に係るデジタル放送受信装置１００ａの構成を示すブロック図である。デジタル放送受信装置１００ａは、チューナ１０１と、分離部１０２と、制御部１０３と、デコード部１０４と、映像処理部１０５と、ＯＳＤ制御部１０６と、合成部１０７と、表示部１０８と、リモコン信号送受信部１０９と、媒体挿入部１１０と、媒体制御部１１１と、記憶部１１２で構成される。記憶部１１２には、表示画像リスト４００、表示画像蓄積リスト５００、静止画ファイル５５０、電子番組表リスト６００、距離・ポイント対応リスト９００、累計ポイント・アイコン対応リスト１０００が記憶される。
【００１１】
チューナ１０１は、放送受信部の一例である。チューナ１０１は、制御部１０３からの選局要求に基づいてデジタル放送信号を受信し、受信したデジタル放送信号に高周波処理及び復調処理を行い、トランスポートストリームとして分離部１０２へ出力する。
【００１２】
分離部１０２は放送信号解析部の一例である。分離部１０２は、チューナ１０１からのトランスポートストリームをデジタル映像信号及びデジタル音声信号を含むＭＰＥＧデータと番組情報等の付加情報に分離し、ＭＰＥＧデータをデコード部１０４へ出力し、付加情報を制御部１０３に出力する。
【００１３】
制御部１０３は、リモコン信号送受信部１０９から所望のチャンネルの選局要求を取得した場合は、チューナ１０１への選局要求を行うと共に、選局されたチャンネルの番組視聴時において分離部１０２から取得した付加情報のうち所定操作時に必要な番組情報データをＯＳＤ制御部１０６へ出力する。また、制御部１０３は、リモコン信号送受信部１０９からの各種要求又は媒体制御部１１１からの各種通知を取得した場合は、記録媒体挿入処理、アイコン表示処理を行う。これらの処理については、後ほど図７及び図８を用いて詳述する。
【００１４】
デコード部１０４は、制御部１０３から映像処理要求を取得した場合は、分離部１０２からのＭＰＥＧデータをデコードし映像信号として映像処理部１０５へ出力する。一方、デコード部１０４は、制御部１０３から画像処理要求を取得した場合は、制御部１０３からの画像データをデコードし画像信号として映像処理部１０５へ出力する。
【００１５】
映像処理部１０５は、デコード部１０４からの映像信号又は画像信号に輝度、コントラスト等の調整を行い映像データ又は画像データとして合成部１０７へ出力する。
【００１６】
ＯＳＤ制御部１０６は、制御部１０３からの番組情報データをＯＳＤ表示データとして合成部１０７へ出力する。ＯＳＤ制御部１０６は、制御部１０３からサムネイル表示要求を取得した場合は、サムネイル表示枠３０５を整形すると共に、サムネイル表示枠３０５と指定された位置に対応する識別表示データを含んだＯＳＤ表示データを合成部１０７へ出力する。ここで、識別表示データとは、指定された位置のサムネイル表示枠３０５を強調表示するためのデータである。
【００１７】
合成部１０７は、映像処理部１０５からの映像データ又は画像データとＯＳＤ制御部１０６からのＯＳＤ表示データを合成し、映像信号又は画像信号として表示部１０８へ出力する。
【００１８】
表示部１０８は、制御部１０３から映像処理要求を取得した場合は、合成部１０７からの映像信号を画面表示する。一方、表示部１０８は、制御部１０３から画像処理要求を取得した場合は、合成部１０７からの画像信号を画面表示する。画面表示方法については、後ほど図４を用いて詳述する。
【００１９】
リモコン信号送受信部１０９は、図示しないリモコンからのリモコン信号を受信し、リモコン受信信号として制御部１０３へ出力する。
【００２０】
媒体挿入部１１０は、ＳＤカード等の記録媒体を挿入する挿入部である。記録媒体での画像データの記録方法については、後ほど図２を用いて詳述する。
【００２１】
媒体制御部１１１は、媒体挿入部１１０への記録媒体の挿入／取出を検出し、制御部１０３に対して各種通知を行う。そして、媒体制御部１１１は、制御部１０３からの要求に基づいて、表示画像リスト４００と表示画像蓄積リスト５００と静止画ファイル５５０を作成する。
【００２２】
記憶部１１２は、媒体制御部１１１からの表示画像リスト４００と表示画像蓄積リスト５００と静止画ファイル５５０と、制御部１０３からの電子番組表リスト６００を記憶する。
【００２３】
ここで、記録媒体での画像データの記録方法について図２を用いて説明する。記録媒体に記録された画像データ２００はデジタルスチルカメラ用画像ファイルフォーマット規格（Ｅｘｉｆ）に基づいてデジタルスチルカメラで記録されている。主たるデータとして記録する画像を「主画像」、「主画像」の見出し用小画像を「サムネイル」と呼ぶ。画像データ２００は、ヘッダ情報２０１、主画像データ２０５、主画像付属情報２０２、サムネイル画像データ２０４及びサムネイル付属情報２０３で構成されている。ヘッダ情報２０１には、Ｅｘｉｆ形式かＪＦＩＦ形式かを示すファイル形式やデータ形式、ビッグエンディアンあるいはリトルエンディアンを示すバイトオーダーなどが記述されている。主画像付属情報２０２は、画像の解像度や圧縮の種類や画素構成などの主画像データ２０５に関する付属情報と、撮影日時や被写体距離やシャッタースピードなど撮影条件に関する情報と、経度や緯度や高度といったＧＰＳに関する情報から構成されている。ＥＸＩＦデータ部（ＡＰＰ１）２１０は、ヘッダ情報２０１と主画像付属情報２０２とサムネイル画像データ２０４及びサムネイル付属情報２０３で構成されている。
【００２４】
なお、本実施の形態では、記録媒体に記録された画像データ２００はデジタルスチルカメラ用画像ファイルフォーマット規格として、「Ｅｘｉｆ」に基づいてデジタルスチルカメラで記録されているものとして説明している。しかし、記録媒体に記録された画像データ２００はデジタルスチルカメラ用画像ファイルフォーマット規格としては、「Ｅｘｉｆ」に基づいたものに限られるものではない。記録媒体に記録された画像データ２００は「Ｅｘｉｆ」以外に基づいたものであっても良い。
【００２５】
画像表示方法について図３を用いて説明する。画面表示としては、１枚表示３０１とスライドショー表示３０２とサムネイル表示３０３と付属情報表示３０４がある。１枚表示３０１では、１枚の主画像データ２０５と主画像付属情報２０２が同時に表示される。スライドショー表示３０２では、主画像データ２０５が表示部１０８全体に連続的に表示される。サムネイル表示３０３では、ファイル名によるソート後、３×３などのレイアウトでサムネイル画像データ２０４が表示される。付属情報表示３０４では、主画像データ２０５の主画像付属情報２０２のみがテキストで表示される。サムネイル表示３０３では、ＯＳＤ制御部１０６で整形したサムネイル表示枠３０５において選択されたサムネイルを更に枠などで囲み強調表示される。スライドショー表示３０２では、表示画像リストの順に一定時間が経過すると選択状態の主画像は次の主画像に移り変わる。
【００２６】
媒体制御部１１１は、画像データ２００中の情報を用いて、表示画像リスト４００と表示画像蓄積リスト５００と静止画ファイル５５０を作成する。
【００２７】
表示画像リスト４００の構成について図４を用いて説明する。表示画像リスト４００は、記録媒体に保存された画像データを示すリストであって、番号４０１とファイル名４０２と、選択状態フラグ４０３と、付属情報４０４と、サムネイル画像データ２０４へのポインタ４０５と、主画像データ２０５へのポインタ４０６で構成されている。番号４０１はシリアルに割り振られたソート用の番号である。選択状態フラグ４０３は画像が選択状態にあるか否かを示す。付属情報４０４には、ＧＰＳの位置情報やＥｘｉｆなど撮影に関する情報が記述されている。
【００２８】
表示画像蓄積リスト５００の構成について図５を用いて説明する。表示画像蓄積リスト５００はデジタル放送受信装置１００ａに保存された全ての画像データを示すリストであって、表示画像リスト４００と同じ構造であり、番号５０１とファイル名５０２と、選択状態フラグ５０３と、付属情報５０４と、サムネイル画像データ２０４へのポインタ５０５と、主画像データ２０５へのポインタ５０６で構成されている。番号５０１はシリアルに割り振られたソート用の番号である。選択状態フラグ５０３は画像が選択状態にあるか否かを示す。付属情報５０４には、ＧＰＳの位置情報やＥｘｉｆなど撮影に関する情報が記述されている。ただし、画像データ２００へのポインタは、デジタル放送受信装置１００ａの記憶部１１２に保存された静止画ファイル５５０へのポインタとなる。
【００２９】
電子番組表リスト６００について、図６を用いて説明する。電子番組表６００は、番組データを放送波を利用して送信し、受信機で表示する仕組みである。
【００３０】
デジタル放送では、ＳＩ（Ｓｅｒｖｉｃｅ  Ｉｎｆｏｒｍａｔｉｏｎ、番組配列情報）と呼ばれる情報で構成されているデータパケットの情報が蓄積され、電子番組表が提示される。
【００３１】
ＳＩの中のＥＩＴ（Ｅｖｅｎｔ  Ｉｎｆｏｒｍａｔｉｏｎ  Ｔａｂｌｅ）には、番組名、放送日時、番組概要など、個々の番組に関する情報がイベント情報として記述されている。受信機側では、受信したＥＩＴの情報が蓄積され、受信機側で新聞の「ラジオ・テレビ欄」のように提示される。本発明では、ＥＩＴのイベント情報として、緯度、経度、高度といった位置情報（番組関連位置情報）が付加されている。
【００３２】
デジタル放送受信装置１００ａは、受信したＥＩＴを電子番組表リスト６００にあるように、イベントＩＤ６０１、開始時刻６０２、番組の継続時間６０３、番組名６０４、番組内容６０５、位置情報（番組関連位置情報）６０６、累積ポイント６０７を蓄積する。位置情報（番組関連位置情報）６０６には、緯度や経度や高度の情報が含まれている。
【００３３】
以下、上述のデジタル放送受信装置１００ａを用いた記録媒体挿入処理について、図７のフローチャートを用いて説明する。
【００３４】
デジタル放送受信装置１００ａの制御部１０３は、媒体制御部１１１に対し、媒体挿入部１１０への記録媒体の挿抜を定期的に監視する要求を行う（ステップＳ７０１）。
【００３５】
媒体制御部１１１が記録媒体の挿入を検出した場合は（ステップＳ７０２で「ＹＥＳ」）、制御部１０３に対して記録媒体挿入通知を行う。媒体制御部１１１が記録媒体の挿入を検出しなかった場合（ステップＳ７０２で「ＮＯ」）は、デジタル放送受信装置１００ａを用いた記録媒体挿入処理が終了する。
【００３６】
記録媒体挿入通知を受けると、制御部１０３は媒体制御部１１１に対して、記録媒体の中の画像ファイルを読み込み、図３に示すＥｘｉｆ形式のファイル構造の中から必要な情報を抽出し、表示画像リスト４００の作成と保存を行う（ステップＳ７０３）。
【００３７】
表示画像リスト４００の作成後は、デジタル放送受信装置１００ａの記憶部１１２に静止画ファイルを作成し保存する（ステップＳ７０４）。静止画ファイルの画像サイズに関しては、記憶部１１２の容量を効率的に利用するために小さくリサイズしても良い。
【００３８】
その後、表示画像リスト４００は表示画像蓄積リスト５００の最後尾に連結される。この場合、表示画像蓄積リスト５００の情報と今回追加する表示画像リスト４００の画像が比較され、すでに保存されているデータであった場合は追記されない。また静止画ファイルのポインタを記憶部１１２に保存された静止画ファイル５５０のポインタに切り替えて保存される（ステップＳ７０５）。そして、デジタル放送受信装置１００ａを用いた記録媒体挿入処理が終了する。
【００３９】
次に、図８を用いて、電子番組表に視聴者の訪問頻度が高く、お気に入りの場所に関する番組であることを示すためのアイコン表示処理について説明する。
【００４０】
デジタル放送受信装置１００ａの制御部１０３は、ＥＩＴを受信すると電子番組表リスト６００を作成する（ステップＳ８０１）。
【００４１】
電子番組表リスト６００に記述されている番組の位置情報が抽出される（ステップＳ８０２）。記憶部１１２の表示画像蓄積リスト５００のシリアルに振られた番号５０１に対応する静止画ファイルごとの位置情報の緯度、経度、高度から距離が算出される（ステップＳ８０３）。距離の算出に関してはヒュベニの計算式など緯度、経度、高度から距離を算出するための既知の方法を用いればよい。
【００４２】
制御部１０３は、図９に示す距離・ポイント対応リスト９００を基にして、静止画ファイル５５０と番組情報の距離からポイントを算出する（ステップＳ８０４）。
【００４３】
ステップＳ８０４で算出されたポイントが番組毎に累計され、電子番組情報リスト６００の累計ポイント６０７の欄に記述される（ステップＳ８０５）。
【００４４】
表示画像蓄積リスト５００の画像すべてのポイントを累計（ステップＳ８０６で「ＹＥＳ」）するまで、ステップＳ８０３からステップＳ８０５までの処理が繰り返される（ステップＳ８０６で「ＮＯ」）。
【００４５】
そして、電子番組表リスト６００のすべてのイベントＩＤ６０１に対応する番組のポイントを累計（ステップＳ８０７で「ＹＥＳ」）するまで、ステップＳ８０２からステップＳ８０６までの処理が繰り返される（ステップＳ８０７で「ＮＯ」）。
【００４６】
全番組分の累計ポイントが算出し終わったら、累計ポイントに応じたアイコンを累計ポイント・アイコン対応リスト１０００からアイコンを特定し、番組表の該当する番組のカラム上に提示される（ステップＳ８０８）。
【００４７】
なお、番組表への表示方法はこの形態に限るものではなく、他の形状のアイコンやポイント数の表示であってもよい。
【００４８】
また電子番組表リスト６００に記述された緯度や経度と距離が近い静止画ファイルのサムネイルなどを表示する（ステップＳ８０９）ことで、視聴者にとっては、どの場所に関する番組なのかが理解しやすくなる。
【００４９】
図９は、ポイント９０１と距離９０２との関係を示す距離・ポイント対応リスト９００である。距離９０２は、記憶部１１２に蓄積された静止画ファイルごとの位置情報の緯度、経度、高度から算出された距離である（ステップＳ８０３）。例えば、その算出された距離９０２が「０〜５００ｍ」であればポイント９０１は「２０」であり、その算出された距離９０２が「５００〜１ｋｍ」であればポイント９０１は「１０」である。
【００５０】
図１０は、累計ポイント１００１とアイコン１００２との関係を示す累計ポイント・アイコン対応リスト１０００である。累計ポイント１００１はステップＳ８０７で算出し終わった累計ポイントであって、お薦め度合いを示す。アイコン１００２は、その算出し終わった累計ポイントに対応するアイコンの表示例である。
【００５１】
次に、図１１はデジタル放送受信装置１００ａが提示する電子番組表１１００の一例を示す。お薦め度合いを示すアイコン１１０１、１１０２、１１０３は電子番組表１１００の該当する番組のカラムにステップＳ８０８で確定したお薦め度合いを示す。画像１１１０の欄には、この番組の緯度経度と距離が近い場所で撮影された静止画ファイルの画像１１１０が表示されている。
【００５２】
次に、本発明の実施の形態のおけるデジタル放送受信装置の他の構成について図１２を用いて説明する。図１２は本発明の実施の形態におけるデジタル放送受信装置の他の構成を示すブロック図である。図１２に示すデジタル放送受信装置１００ｂが図１に示すデジタル放送受信装置１００ａと異なる箇所は記録部１２０１である。図１２において、図１での参照番号と同じ参照番号については図１と同じである。したがって、記録部１２０１について主に説明し、その他については説明を省略する。
【００５３】
チューナ１０１は、その出力を分離部１０２と記録部１２０１に供給する。記録部１２０１は制御部１０３に制御されて、チューナ１０１からの信号を記録する。制御部１０３は、記録部１２０１がお薦め番組も記録するように制御する。図１２のように構成することで、記録部１２１はチューナ１０１からの信号のみならず、お薦め番組も記録できる。記録部１２０１に記録された信号は、制御部１０３に制御されて、必要に応じて再生されて分離部１０２に供給される。
【００５４】
なお、本実施の形態では、電子番組表１１００にお薦め度合いを示すアイコン１１０１、１１０２，１１０３を表示する形態について説明した。しかし、本発明はこれに限るものではなく、例えば視聴者がチャンネルを順次切り替えて番組選択を行っている際に、番組名とともにお薦め度合いを示すアイコン１１０１、１１０２，１１０３をチャンネル切り替え後の一定時間、表示するとしてもよい。
【００５５】
図１や図１２に示した制御部１０３がリモコン信号送受信部１０９や記憶部１１２やＯＳＤ制御部１０６などと連携して、このような機能を実現できる。
【００５６】
また、番組視聴中に、裏番組に距離ポイントの高い番組が存在する場合は、視聴中の番組にＯＳＤ（オン・スクリーン・ディスプレイ）でメッセージを表示したり、音声でメッセージを通知したりして、裏番組の推薦を行ってもよい。このような機能も、図１や図１２に示した制御部１０３が記憶部１１２やＯＳＤ制御部１０６などと連携して、実現できる。
【００５７】
さらに、録画機能を持つデジタル放送受信装置１００ａの場合は、ある一定のポイント以上の番組を自動録画するとしてもよい。このような機能も、図１２に示した制御部１０３が記憶部１１２や記録部１２０１などと連携して、実現できる。
【００５８】
また、本発明の実施の形態におけるデジタル放送受信装置１００ａ、１００ｂでの電子番組表１１００の一例を図１１に示して説明した。しかし、本発明の電子番組表１１００においては、少なくともお薦め度合いを示すアイコン１１０１、１１０２、１１０３が表示されていれば良い。すなわち、お薦め度合いを示すアイコン１１０１、１１０２、１１０３以外の少なくとも一部を省略してもよい。
【００５９】
また、お薦め度合いを示すアイコン１１０１、１１０２、１１０３をチャネルバナーに表示することも可能である。このような機能も、図１や図１２に示した制御部１０３が記憶部１１２やＯＳＤ制御部１０６などと連携して、実現できる。
【００６０】
以上のように、本発明は、記録媒体上の静止画に含まれるＧＰＳ情報を用いて視聴者のお気に入りの場所を推定し、その場所をデジタル放送信号中のＥＰＧ情報に含まれる位置情報と比較することによって、視聴者のお気に入りの場所に関する番組を提供することができる。
【００６１】
すなわち、デジタルカメラの位置情報から視聴者の良く行く場所を判断し、視聴者の趣味にあった番組をおすすめ番組として提示することが可能になる。
【産業上の利用可能性】
【００６２】
デジタル放送受信装置およびデジタル放送受信方法は、ＧＰＳを搭載したデジタルスチルカメラにて撮影した画像の位置情報を保存し、番組の位置情報と比較し視聴者の訪問頻度の高い場所に関する番組を推薦することができ、ＢＳ／ＣＳ放送、地上波デジタル放送、ＣＡＴＶ等の各種デジタル放送受信装置およびデジタル放送受信方法に有用である。
【図面の簡単な説明】
【００６３】
【図１】本発明の実施の形態におけるデジタル放送受信装置の構成を示すブロック図
【図２】本発明の実施の形態における記録媒体に記録された画像データのデータ構造を示す図
【図３】本発明の実施の形態における記録媒体に記録された画像データの表示方法の一例を示す図
【図４】本発明の実施の形態における表示画像リストの構成を示す図
【図５】本発明の実施の形態における表示画像蓄積リストの構成を示す図
【図６】本発明の実施の形態における電子番組表リストの構成を示す図
【図７】本発明の実施の形態におけるデジタル放送受信装置およびデジタル放送受信方法での記録媒体挿入時の処理を示すフローチャート
【図８】本発明の実施の形態におけるデジタル放送受信装置およびデジタル放送受信方法での電子番組表リスト作成時の処理を示すフローチャート
【図９】本発明の実施の形態におけるデジタル放送受信装置およびデジタル放送受信方法での距離からポイントの算出を行うための表の一例を示す図
【図１０】本発明の実施の形態におけるデジタル放送受信装置およびデジタル放送受信方法での累計ポイントからアイコンを特定するための表の一例を示す図
【図１１】本発明の実施の形態におけるデジタル放送受信装置およびデジタル放送受信方法での電子番組表の一例を示す図
【図１２】本発明の実施の形態におけるデジタル放送受信装置の他の構成を示すブロック図
【符号の説明】
【００６４】
１００ａ，１００ｂ    デジタル放送受信装置
１０１    チューナ
１０２    分離部
１０３    制御部
１０４    デコード部
１０５    映像処理部
１０６    ＯＳＤ制御部
１０７    合成部
１０８    表示部
１０９    リモコン信号送受信部
１１０    媒体挿入部
１１１    媒体制御部
１１２    記憶部
２００    画像データ
２０１    ヘッダ情報
２０２    主画像付属情報
２０３    サムネイル付属情報
２０４    サムネイル画像データ
２０５    主画像データ
３０１    １枚表示画面
３０２    スライドショー画面
３０３    サムネイル表示画面
３０４    付属情報表示画面
３０５    サムネイル表示枠
４００    表示画像リスト
４０１    番号
４０２    ファイル名
４０３    選択状態フラグ
４０４    付属情報
４０５    サムネイル画像データへのポインタ
４０６    主画像データへのポインタ
５００    表示画像リスト
５０１    番号
５０２    ファイル名
５０３    選択状態フラグ
５０４    付属情報
５０５    サムネイル画像データへのポインタ
５０６    主画像データへのポインタ
５５０    静止画ファイル
６００    電子番組表リスト
６０１    イベントＩＤ
６０２    開始時刻
６０３    番組の継続時間
６０４    番組名
６０５    番組内容
６０６    位置情報（番組関連位置情報）
６０７    累計ポイント
９００    距離・ポイント対応リスト
９０１    ポイント
９０２    距離
１０００    累計ポイント・アイコン対応リスト
１００１    累計ポイント
１００２    アイコン
１１０１，１１０２，１１０３    お薦め度合いを示すアイコン
１１１０    画像
１２０１    記録部
【手続補正３】
【補正対象書類名】図面
【補正対象項目名】全図
【補正方法】変更
【補正の内容】
【図１】
2008129879.tif 000015
【図２】
2008129879.tif 000016
【図３】
2008129879.tif 000017
【図４】
2008129879.tif 000018
【図５】
2008129879.tif 000019
【図６】
2008129879.tif 000020
【図７】
2008129879.tif 000021
【図８】
2008129879.tif 000022
【図９】
2008129879.tif 000023
【図１０】
2008129879.tif 000024
【図１１】
2008129879.tif 000025
【図１２】
2008129879.tif 000026
【国際調査報告】
2008129879.tif 000027
2008129879.tif 000028
2008129879.tif 000029